(57)【要約】【課題】ボンジリ内にある尾骨の除去作業及び切断作業における労力を軽減し、安全かつ効率的にボンジリ内の除骨及び切断作業を行うことができる鶏ボンジリの除骨及び切断装置を提供する。【解決手段】パンチ機構３と下型２を一組にして構成する。パンチ機構３は、押さえ蓋３ｅでボンジリ１の頂部を覆い横ブレしないように抱持し、円筒状のパンチ３ａをボンジリ１の上から尾骨１ａ外周に押し当て、尾骨１ａを打ち抜いて除骨すると同時にパンチ３ａに一体化した製品切断刃３ｂでボンジリ１を切断する。【選択図】  図３
2018082657.tif 000002
【特許請求の範囲】
【請求項１】
鶏のボンジリが載置可能に形成されると共に、底部にパンチ孔が形成された下型と、ボンジリ内の尾骨を打ち抜くパンチとからなる除骨機構と、除骨動作に連動して除骨処理後の肉の搬出を行う処理肉払い出し機構とからなり、前記パンチを上下動させてボンジリの尾骨の周囲を打ち抜き、同時にボンジリの油壺の部位も取り除くと共に、ボンジリを分割切断する切断部を設けたことを特徴とする鶏ボンジリの除骨及び切断機構。
【請求項２】
パンチと製品切断刃を一体化したことを特徴とする請求項１記載の鶏ボンジリの除骨及び切断機構。
【請求項３】
パンチと製品切断刃が下りてくると同時に、パンチと製品エジェクタの外周にスライド可能に取り付けられた押さえ蓋がボンジリの頂部を覆い横ブレしないように保持しながらパンチで尾骨を打ち抜くと同時に、製品切断刃でボンジリを切断すると共に、パンチが上昇する際、ボンジリが押さえ蓋、又はパンチに抱持されたまま持ち上げられないように、ボンジリを製品エジェクタで下型に上に押し出されて残るようにしたことを特徴とする請求項１又は請求項２記載の鶏ボンジリの除骨及び切断機構。
【発明の詳細な説明】
【技術分野】
【０００１】
本発明は、食用鶏の尾部にあるボンジリは、鶏の尻尾に当たる三角形状の突起肉部分で、尾骨の周りを覆っている一羽の鶏からほんの僅かしか取れない希少な可食部位で、鶏の中でも最も脂がのっているジューシーでとろけるような口当たりで、焼き鳥などで食される貴重な部位である。本発明は、このボンジリから尾骨を除去すると共に食肉部を切断する機構に関する。
【背景技術】
【０００２】
食肉から除骨する装置として、例えば、食肉をミンチに加工するチョッパーにおいて、食肉内に混在する軟骨や筋などの骨片類を除去する骨片類除去装置を付設したもの（特許文献１参照。）や所定の骨片等の異物の通過を防ぐ複数のスリットが形成され、このスリットを通過したミンチ状の食肉をスクレパーで掻き取ることによって除骨する装置（特許文献２参照。）が提案されている。また、投入ステーションより下流に向け、投入ステーションと所定間隔を持つ肩甲骨脱骨ステーションと、同一所定間隔を持つ上腕骨脱骨ステーションの順に等間隔直線状に配設し、上腕骨脱骨ステーションの下流に上腕骨を排出する骨部排出ステーションを設け、固定、可動搬送路を介してワークを懸架状態でタクト搬送させ、その搬送過程で脱骨処理して最終ステーション（排出ステーション）より脱骨した上腕骨を排出する構成の食肉脱骨装置（特許文献３参照。）。他にも、懸架吊部により骨付き肉の露出した首部を把持し、懸架した状態で、骨の長手方向に沿って筋入れ加工を行った後、骨の周囲の肉を引き剥がすことで脱骨する骨付き肉の自動脱骨装置（特許文献４参照。）等が提案されている。
【先行技術文献】
【特許文献】
【０００３】
【特許文献１】特開２００７−４４０２４号公報
【特許文献２】特許第３１９１０２４号公報
【特許文献３】特許第４３２７０９９号公報
【特許文献４】特許第４９０８１４８号公報
【発明の概要】
【発明が解決しようとする課題】
【０００４】
しかしながら、ボンジリの除骨作業については、未だ機械化が図られておらず、ナイフでＶ字状に切り込みを入れて尾骨を取り出すという手作業に委ねられたまま現在に至っている。このため、ボンジリは採算性の低い商品になっており、除骨作業の機械化が嘱望されていた。
【０００５】
そこで本発明らは、上記従来技術の課題に鑑み、ボンジリ内にある尾骨の除去作業における労力を軽減し、安全かつ効率的にボンジリ内の除骨作業を行うことができる鶏ボンジリの除骨装置を特願２０１６−０５７０７３「鶏ボンジリの除骨装置」をもって先に提案している。
【０００６】
図１及び図２に示すように、この鶏ボンジリの除骨装置は、鶏のボンジリが載置可能に形成されると共に、底部にパンチ孔が形成された下型と、ボンジリ内の尾骨を打ち抜くパンチとからなる除骨機構と、除骨動作に連動して除骨処理後の肉の搬出を行う処理肉払い出し機構とからなり、受け皿にはボンジリが載置可能な凹部が形成され、この受け皿にボンジリが載置された状態で、ボンジリの外形に倣って嵌合可能な凹部が形成された上蓋（カップリング）と、この上蓋に搭載された筒状の除骨用パンチと、除骨用パンチ内から尾骨を押し出すエジェクタを備えたことを主たる構成とし、円盤の中心を支軸に円周方向に複数個配列した受け皿を、水平方向に間欠的に一定速度で割り出し回転する搬送機構と、搬送機構が停止した状態で、下型に載置されたボンジリからボンジリ内の尾骨を打ち抜いて除去するパンチ機構を備え、下型が一定のピッチで直線的に並んで配置され、ベルト、チェーン又はシリンダー等で直線的に搬送され、処理肉払い出し機構が、下型を反転させると共に、処理肉払い出し機構が、処理肉を掴んで搬送するチャック爪機構又は処理肉を下方から突き上げて下型から離脱させるリフター機構を備えたものである。
【０００７】
本発明は、上記の装置の更なる改良に係るものであり、ボンジリ１（三角形の肉）から尾骨１ａを自動的に取り出し、同時にボンジリを切断し、さらに、切断した油壺まで払い出すことができる自動除骨及び切断機構を提供することを目的とする。
【課題を解決するための手段】
【０００８】
このため本発明の鶏ボンジリの除骨装置は、鶏のボンジリが載置可能に形成されると共に、底部にパンチ孔が形成された下型２と、ボンジリ内の尾骨を打ち抜くパンチとからなる除骨機構と、除骨動作に連動して除骨処理後の肉の搬出を行う処理肉払い出し機構とからなり、前記パンチ３を上下動させてボンジリ１の尾骨１ａの周囲を打ち抜き、同時にボンジリ１の油壺１ｂを取り除くと共に、尾骨１ａを中心に様々な角度からボンジリ１の切断を可能な構造にしたことを第１の特徴とする。また、パンチ３と製品切断刃３ｂを一体化したことを第２の特徴とする。さらに、パンチ３と製品切断刃３ｂが下りてくると同時に、パンチ３と製品エジェクタ３ｈの外周にスライド可能に取り付けられた押さえ蓋３ｅがボンジリ１の頂部を覆い横ブレしないように保持しながらパンチ３で尾骨１ａを打ち抜くと同時に、製品切断刃３ｂでボンジリ１を切断すると共に、パンチ３が上昇する際、ボンジリ１が押さえ蓋３ｅ、又はパンチ３に抱持されたまま持ち上げられないように、ボンジリ１を製品エジェクタ３ｈで下型２上に押し出されて残るようにしたことを第３の特徴とする。
【発明の効果】
【０００９】
本発明装置によれば、ボンジリの除骨作業及び切断作業を手作業の数倍の速さで極めて効率良く行うことができる。
【図面の簡単な説明】
【００１０】
【図１】従来の鶏ボンジリの除骨装置の全体構成を示す一部断面側面図である。
【図２】図１の円盤と従来のパンチ機構を示す平面図である。
【図３】本発明に係るパンチ機構が上昇した状態と下型を示す断面図である。
【図４】本発明に係るパンチ機構が下降した状態と下型を示す断面図である。
【図５】図１のＡ−Ａ線断面図である。
【図６】押さえ蓋スプリングを外した状態を示す一部断面図である。
【図７】（ａ）〜（ｄ）製品切断刃の切断溝の配置を示す下型の平面図である。
【図８】パンチ機構と油壺払い出し部を示す要部正面図である。
【図９】パンチ機構が上昇した状態と油壺払い出し部を示す要部側面図である。
【図１０】パンチ機構が下降した状態と油壺払い出し部を示す要部側面図である。
【発明を実施するための形態】
【００１１】
以下、図面にしたがって本発明装置の一実施例を説明する。便宜上、図１乃至図２に示す従来装置の全体構成を基に改良を施した部分について説明する。尚、同様の構成要件には同一参照符号を付して説明する。
【００１２】
図１及び図２に示すように、鶏ボンジリの除骨装置は、円盤５ａの中心を支軸に円周方向に複数個配列したボンジリ１が載置可能な凹部を備えた下型２を、水平方向に間欠的に一定速度で割り出し回転搬送機構８と、この回転搬送機構５が停止した状態で、受け皿２に載置されたボンジリ１からボンジリ１内の尾骨１ａを打ち抜いて除去する打ち抜きパンチ機構３とを主たる構成要件としている。
【００１３】
下型２の底部中央には、ボンジリ１内から尾骨１ａを打ち抜くためのダイに相当し、その上方から筒状のパンチ４ａを挿通するためのパンチ孔２ａが形成されている。すなわち、下型２は、凹部とその底部中央に骨抜き孔２ａを持つ受け皿となり、搬送機構５は、円盤５ａ上の円周方向に複数個配列した下型２を、一定速度で間欠的に回転移動させながら、ボンジリ１の投入から除骨及び除骨後のボンジリ１の処理肉の払い出しまで循環して搬送する。
【００１４】
図３乃至図６に示すように、本発明に係るパンチ機構３は下型２と一組にして構成されている。パンチ機構３は、押さえ蓋３ｅでボンジリ１の頂部を覆い横ブレしないように抱持し、円筒状のパンチ３ａをボンジリ１の上から尾骨１ａ外周に押し当て、尾骨１ａを打ち抜いて除骨すると同時にパンチ３ａに一体化した製品切断刃３ｂでボンジリ１を切断する。これにより、押さえ蓋スプリング３ｆにより押さえ蓋３ｅがボンジリ１に無理な力を加えて食肉部分を潰すことなく尾骨１を除骨でき、また、尾骨エジェクタ３ｃを尾骨エジェクタスプリング３ｄで適度な力で押し下げているため、パンチ３ａでくり抜いた尾骨１ａはパンチ３ａ内部に残ることなく確実に排出される。
【００１５】
さらに、パンチ３ａが上昇する際、ボンジリ１が押さえ蓋３ｅに抱持されたまま持ち上がらないようにボンジリ１は製品エジェクタ３ｈで下型２に押し出されるようになっており、製品エジェクタ３ｈは製品エジェクタスプリング３ｋによって円周方向に押圧された製品エジェクタスプリング当金３ｊと、さらに、円周当分に配列して設けられる複数の製品エジェクタ押さえピン３ｉを介してボンジリ１に無理な力を加えることなく押し出すことができる。
【００１６】
以上の構成はパンチ３ａの直径・製品切断刃３ｂの配置・押さえ蓋（上型）３ｅの形状・製品エジェクタ３ｈの形状や蓋スプリング３ｆ、製品エジェクタスプリング３ｋの押し付け力を変えることが可能である。これにより、図７（ａ）〜（ｄ）に示すように、ボンジリ１を所望する様々な形状に応じて切断できるようにされている。
【００１７】
また、図８乃至図１０に示すように、押さえ蓋スプリング３ｆを片側１個若しくは２個外すことで、押さえ蓋（上蓋）３ｅの押圧力を弱くすることができる。油壺払い出し部４は、ボンジリ１と油壺１ｂの分別を容易にするため、ボンジリ１から油壺１ｂを製品切断刃３ｂで切断する際、同時に油壺払い出し部４で払い出すことが可能な構成になっている。
【００１８】
油壺払い出し部４はパンチ機構３と一体で、パンチ機構３が下降すると共に、油壺払い出し部４に設けられたローラー４ｃがパンチ機構３の外部に固定された板カム４ｅに沿い板カム４ｅの凸部４ｆの位置まで下降してから油壺払い出し板４ａで油壺１ｂを外側に付き出すように払い出す。このパンチ機構３が上昇すると油壺払い出し板４ａが製品切断刃３ｂに重なった状態に復帰する。
【符号の説明】
【００１９】
１    ボンジリ
１ａ  尾骨
１ｂ  油壺
２    受け皿（下型）
２ａ  パンチ孔
３    パンチ機構
３    パンチ
３ｂ  製品切断刃
３ｃ  尾骨エジェクタ（ストッパー）
３ｄ  尾骨エジェクタスプリング
３ｅ  押さえ蓋（上型）
３ｆ  押さえ蓋スプリング
３ｇ  軸
３ｈ  製品エジェクタ
３ｉ  製品エジェクタ押えピン
３ｊ  製品エジェクタスプリング当て金
３ｋ  製品エジュエクタスプリング
４    油壺払い出し部
４ａ  油壺払い出し板
４ｂ  油壺払い出しアーム４ｂ
４ｃ  ローラー
４ｄ  支点
４ｅ  板カム
４ｆ  凸部
５    搬送機構
５ａ  円盤
【図１】
2018082657.tif 000003
【図２】
2018082657.tif 000004
【図３】
2018082657.tif 000005
【図４】
2018082657.tif 000006
【図５】
2018082657.tif 000007
【図６】
2018082657.tif 000008
【図７】
2018082657.tif 000009
【図８】
2018082657.tif 000010
【図９】
2018082657.tif 000011
【図１０】
2018082657.tif 000012
【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
鶏のボンジリが載置可能に形成されると共に、底部にパンチ孔が形成された下型と、ボンジリ内の尾骨を打ち抜くパンチとからなる除骨機構と、除骨動作に連動して除骨処理後の肉の搬出を行う処理肉払い出し機構とからなり、前記パンチを上下動させてボンジリの尾骨の周囲を打ち抜き、同時にボンジリの油壺の部位も取り除くと共に、ボンジリを分割切断する切断部を設けたことを特徴とする鶏ボンジリの除骨及び切断機構。
【請求項２】
パンチと製品切断刃を一体化したことを特徴とする請求項１記載の鶏ボンジリの除骨及び切断機構。
【請求項３】
パンチと製品切断刃が下りてくると同時に、パンチと製品エジェクタの外周にスライド可能に取り付けられた押さえ蓋がボンジリの頂部を覆い横ブレしないように保持しながらパンチで尾骨を打ち抜き、製品切断刃でボンジリを切断すると共に、パンチが上昇する際、ボンジリが押さえ蓋、又はパンチに抱持されたまま持ち上げられないように、ボンジリを製品エジェクタで下型に上に押し出されて残るようにしたことを特徴とする請求項１又は請求項２記載の鶏ボンジリの除骨及び切断機構。
【手続補正２】
【補正対象書類名】明細書
【補正対象項目名】０００６
【補正方法】変更
【補正の内容】
【０００６】
図１及び図２に示すように、この鶏ボンジリの除骨装置は、鶏のボンジリが載置可能に形成されると共に、底部にパンチ孔が形成された下型と、ボンジリ内の尾骨を打ち抜くパンチとからなる除骨機構と、除骨動作に連動して除骨処理後の肉の搬出を行う処理肉払い出し機構とからなり、下型にはボンジリが載置可能な凹部が形成され、この下型にボンジリが載置された状態で、ボンジリの外形に倣って嵌合可能な凹部が形成された上蓋と、この上蓋に搭載された筒状の除骨用パンチと、除骨用パンチ内から尾骨を押し出すエジェクタを備えたことを主たる構成とし、円盤の中心を支軸に円周方向に複数個配列した下型を、水平方向に間欠的に一定速度で割り出し回転する搬送機構と、搬送機構が停止した状態で、下型に載置されたボンジリからボンジリ内の尾骨を打ち抜いて除去するパンチ機構を備え、下型が一定のピッチで直線的に並んで配置され、ベルト、チェーン又はシリンダー等で直線的に搬送され、処理肉払い出し機構が、下型を反転させると共に、処理肉払い出し機構が、処理肉を掴んで搬送するチャック爪機構又は処理肉を下方から突き上げて下型から離脱させるリフター機構を備えたものである。
【手続補正３】
【補正対象書類名】明細書
【補正対象項目名】０００８
【補正方法】変更
【補正の内容】
【０００８】
このため本発明の鶏ボンジリの除骨装置は、鶏のボンジリが載置可能に形成されると共に、底部にパンチ孔が形成された下型２と、ボンジリ内の尾骨を打ち抜くパンチとからなる除骨機構と、除骨動作に連動して除骨処理後の肉の搬出を行う処理肉払い出し機構とからなり、前記パンチ３を上下動させてボンジリ１の尾骨１ａの周囲を打ち抜き、同時にボンジリ１の油壺１ｂを取り除くと共に、尾骨１ａを中心に様々な角度からボンジリ１の切断を可能な構造にしたことを第１の特徴とする。また、パンチ３と製品切断刃３ｂを一体化したことを第２の特徴とする。さらに、パンチ３と製品切断刃３ｂが下りてくると同時に、パンチ３と製品エジェクタ３ｈの外周にスライド可能に取り付けられた押さえ蓋３ｅがボンジリ１の頂部を覆い横ブレしないように保持しながらパンチ３で尾骨１ａを打ち抜き、製品切断刃３ｂでボンジリ１を切断すると共に、パンチ３が上昇する際、ボンジリ１が押さえ蓋３ｅ、又はパンチ３に抱持されたまま持ち上げられないように、ボンジリ１を製品エジェクタ３ｈで下型２上に押し出されて残るようにしたことを第３の特徴とする。
【手続補正４】
【補正対象書類名】明細書
【補正対象項目名】００１２
【補正方法】変更
【補正の内容】
【００１２】
図１及び図２に示すように、鶏ボンジリの除骨装置は、円盤５ａの中心を支軸に円周方向に複数個配列したボンジリ１が載置可能な凹部を備えた下型２を、水平方向に間欠的に一定速度で割り出し回転搬送機構８と、この回転搬送機構５が停止した状態で、下型２に載置されたボンジリ１からボンジリ１内の尾骨１ａを打ち抜いて除去する打ち抜きパンチ機構３とを主たる構成要件としている。
【手続補正５】
【補正対象書類名】明細書
【補正対象項目名】００１６
【補正方法】変更
【補正の内容】
【００１６】
以上の構成はパンチ３ａの直径・製品切断刃３ｂの配置・押さえ蓋（上型）３ｅの形状・製品エジェクタ３ｈの形状や押さえ蓋スプリング３ｆ、製品エジェクタスプリング３ｋの押し付け力を変えることが可能である。これにより、図７（ａ）〜（ｄ）に示すように、ボンジリ１を所望する様々な形状に応じて切断できるようにされている。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
鶏のボンジリが載置可能に形成されると共に、底部にパンチ孔が形成された下型と、ボンジリ内の尾骨を打ち抜くパンチとからなる除骨機構と、除骨動作に連動して除骨処理後の肉の搬出を行う処理肉払い出し機構とからなり、前記パンチを上下動させてボンジリの尾骨を打ち抜き、同時にボンジリの油壺の部位も取り除くと共に、ボンジリを分割切断する切断部を設けたことを特徴とする鶏ボンジリの除骨及び切断機構。
【請求項２】
パンチと製品切断刃を一体化したことを特徴とする請求項１記載の鶏ボンジリの除骨及び切断機構。
【請求項３】
パンチと製品切断刃が下りてくると同時に、パンチと製品エジェクタの外周にスライド可能に取り付けられた押さえ蓋がボンジリの頂部を覆い横ブレしないように保持しながらパンチで尾骨を打ち抜き、製品切断刃でボンジリを切断すると共に、パンチが上昇する際、ボンジリが押さえ蓋、又はパンチに抱持されたまま持ち上がらないように、ボンジリを製品エジェクタで下型の上に押し出して残るようにしたことを特徴とする請求項１又は請求項２記載の鶏ボンジリの除骨及び切断機構。
【手続補正２】
【補正対象書類名】明細書
【補正対象項目名】０００６
【補正方法】変更
【補正の内容】
【０００６】
図１及び図２に示すように、この鶏ボンジリの除骨装置は、鶏のボンジリが載置可能に形成されると共に、底部にパンチ孔が形成された下型と、ボンジリ内の尾骨を打ち抜くパンチとからなる除骨機構と、除骨動作に連動して除骨処理後の肉の搬出を行う処理肉払い出し機構とからなり、下型にはボンジリが載置可能な凹部が形成され、この下型にボンジリが載置された状態で、ボンジリの外形に倣って嵌合可能な凹部が形成された上蓋と、この上蓋に搭載された筒状の除骨用パンチと、除骨用パンチ内から尾骨を押し出すエジェクタを備えたことを主たる構成とし、円盤の中心を支軸に円周方向に複数個配列した下型を、水平方向に間欠的に一定速度で割り出す回転搬送機構と、搬送機構が停止した状態で、下型に載置されたボンジリからボンジリ内の尾骨を打ち抜いて除去するパンチ機構を備え、下型が一定のピッチで直線的に並んで配置され、ベルト、チェーン又はシリンダー等で直線的に搬送され、処理肉払い出し機構が、下型を反転させると共に、処理肉払い出し機構が、処理肉を掴んで搬送するチャック爪機構又は処理肉を下方から突き上げて下型から離脱させるリフター機構を備えたものである。
【手続補正３】
【補正対象書類名】明細書
【補正対象項目名】０００８
【補正方法】変更
【補正の内容】
【０００８】
このため本発明の鶏ボンジリの除骨装置は、鶏のボンジリが載置可能に形成されると共に、底部にパンチ孔が形成された下型２と、ボンジリ内の尾骨を打ち抜くパンチとからなる除骨機構と、除骨動作に連動して除骨処理後の肉の搬出を行う処理肉払い出し機構とからなり、前記パンチ３を上下動させてボンジリ１の尾骨１ａを打ち抜き、同時にボンジリ１の油壺１ｂを取り除くと共に、尾骨１ａを中心に様々な角度からボンジリ１の切断を可能な構造にしたことを第１の特徴とする。また、パンチ３と製品切断刃３ｂを一体化したことを第２の特徴とする。さらに、パンチ３と製品切断刃３ｂが下りてくると同時に、パンチ３と製品エジェクタ３ｈの外周にスライド可能に取り付けられた押さえ蓋３ｅがボンジリ１の頂部を覆い横ブレしないように保持しながらパンチ３で尾骨１ａを打ち抜き、製品切断刃３ｂでボンジリ１を切断すると共に、パンチ３が上昇する際、ボンジリ１が押さえ蓋３ｅ、又はパンチ３に抱持されたまま持ち上がらないように、ボンジリ１を製品エジェクタ３ｈで下型２の上に押し出して残るようにしたことを第３の特徴とする。
【手続補正４】
【補正対象書類名】明細書
【補正対象項目名】００１２
【補正方法】変更
【補正の内容】
【００１２】
図１及び図２に示すように、鶏ボンジリの除骨装置は、円盤５ａの中心を支軸に円周方向に複数個配列したボンジリ１が載置可能な凹部を備えた下型２を、水平方向に間欠的に一定速度で割り出す回転搬送機構５と、この回転搬送機構５が停止した状態で、下型２に載置されたボンジリ１からボンジリ１内の尾骨１ａを打ち抜いて除去する打ち抜きパンチ機構３とを主たる構成要件としている。
【手続補正５】
【補正対象書類名】明細書
【補正対象項目名】００１９
【補正方法】変更
【補正の内容】
【００１９】
１    ボンジリ
１ａ  尾骨
１ｂ  油壺
２    受け皿（下型）
２ａ  パンチ孔
３    パンチ機構
３    パンチ
３ｂ  製品切断刃
３ｃ  尾骨エジェクタ（ストッパー）
３ｄ  尾骨エジェクタスプリング
３ｅ  押さえ蓋（上型）
３ｆ  押さえ蓋スプリング
３ｇ  軸
３ｈ  製品エジェクタ
３ｉ  製品エジェクタ押えピン
３ｊ  製品エジェクタスプリング当て金
３ｋ  製品エジュエクタスプリング
４    油壺払い出し部
４ａ  油壺払い出し板
４ｂ  油壺払い出しアーム
４ｃ  ローラー
４ｄ  支点
４ｅ  板カム
４ｆ  凸部
５    回転搬送機構
５ａ  円盤